(57)【特許請求の範囲】
【請求項１】
決済処理を行う複数の決済サーバでの決済処理に関する決済履歴情報を、各ユーザにおける複数の決済方式に対応付けられた決済特定情報ごとに記憶する決済履歴記憶部と、
前記決済履歴記憶部に記憶された前記決済履歴情報に基づいて、各決済方式を使用した際の特典である特典情報を、前記決済特定情報ごとかつ前記決済方式ごとに設定して、特典記憶部に記憶させる特典設定部と、
前記決済特定情報を含む決済依頼情報を、決済用端末から受信する決済依頼受信部と、
前記決済依頼受信部が受信した前記決済依頼情報に含まれる前記決済特定情報に対応付けられた前記特典情報を前記特典記憶部から抽出し、前記特典情報に対応する前記決済方式に関する決済方式情報と共に送信する特典提供部と、
を備える決済管理サーバ。
【請求項２】
請求項１に記載の決済管理サーバであって、
前記決済サーバにおいて付与されるサーバ特典情報を記憶するサーバ特典記憶部を備え、
前記特典提供部は、前記サーバ特典情報を前記特典情報に付加して、前記特典情報と前記決済方式情報とを送信する、決済管理サーバ。
【請求項３】
請求項１又は請求項２に記載の決済管理サーバにおいて、
前記特典情報及び前記決済履歴情報のうち少なくとも一方に基づいて、各決済方式に対する順位付けである順位情報を設定する順位設定部を備え、
前記特典提供部は、前記順位設定部により設定された順位情報を含んで、前記特典情報と前記決済方式情報とを送信する、決済管理サーバ。
【請求項４】
請求項１から請求項３までのいずれかに記載の決済管理サーバであって、
前記特典設定部は、前記決済履歴情報に基づいて利用頻度が少ない決済方式に対して、より有利な特典を設定する、決済管理サーバ。
【請求項５】
請求項１から請求項４までのいずれかに記載の決済管理サーバであって、
前記特典設定部は、前記決済履歴情報に基づいて決済処理での金額が高い決済方式に対して、一定金額以上での決済処理に使用可能な特典を設定する、決済管理サーバ。
【請求項６】
請求項１から請求項５までのいずれかに記載の決済管理サーバであって、
前記特典提供部は、さらに前記決済依頼情報の受付順を示す決済受付番号を送信し、
前記決済特定情報と、各決済方式での決済処理で使用する各カード番号とを対応付けて記憶するユーザ決済情報記憶部と、
一の前記決済方式情報と前記決済受付番号とを、前記決済用端末から受信する決済方式情報受信部と、
受信した前記決済受付番号により前記決済依頼情報を特定し、受信した前記一の決済方式情報に対応する前記決済方式の前記カード番号を、前記決済依頼情報に基づき前記ユーザ決済情報記憶部を参照して特定し、前記カード番号を含む決済情報を、前記決済方式に対応する前記決済サーバに送信する決済実行部と、
を備える決済管理サーバ。
【請求項７】
決済処理を行う複数の決済サーバでの決済処理に関する決済履歴情報を、各ユーザにおける複数の決済方式に対応付けられた決済特定情報ごとに記憶する決済履歴記憶部と、
前記決済履歴記憶部に記憶された前記決済履歴情報に基づいて、各決済方式を使用した際の特典である特典情報を、前記決済特定情報ごとかつ前記決済方式ごとに設定して、特典記憶部に記憶させる特典設定部と、
前記決済特定情報と、各決済方式での決済処理で使用する各カード番号とを対応付けて記憶するユーザ決済情報記憶部と、
前記決済特定情報を含む決済依頼情報を、決済用端末から受信する決済依頼受信部と、
前記決済依頼受信部が受信した前記決済依頼情報に含まれる前記決済特定情報に対応付けられた前記特典情報を前記特典記憶部から抽出し、抽出した前記特典情報に基づいて決済方式を選定する決済方式選定部と、
前記決済方式選定部により選定した前記決済方式に対応する前記カード番号を、前記決済依頼情報に基づき前記ユーザ決済情報記憶部を参照して特定し、前記カード番号を含む決済情報を、前記決済方式に対応する前記決済サーバに送信する決済実行部と、
を備える決済管理サーバ。
【請求項８】
請求項１から請求項７までのいずれかに記載の決済管理サーバにおいて、
決済用端末と、前記複数の決済サーバとの間を仲介し、
前記決済サーバでの決済結果情報を、前記決済サーバから受信したことに応じて、前記決済結果情報に基づいた前記決済履歴情報を、決済履歴記憶部に記憶させる履歴制御部を備える、決済管理サーバ。
【請求項９】
請求項１から請求項８までのいずれかに記載の決済管理サーバと、
前記複数の決済サーバと、
一以上の決済方式に対応付けられた決済特定情報を取得する決済用端末と、
を備える決済システム。
【請求項１０】
請求項９に記載の決済システムにおいて、
前記決済用端末は、媒体の券面に記載され、及び／又は、記憶領域に記憶された、複数の決済方式に共通で使用可能な前記決済特定情報を取得する、決済システム。
【発明の詳細な説明】
【技術分野】
【０００１】
本発明は、決済管理サーバ及び決済システムに関する。
【背景技術】
【０００２】
従来、携帯端末装置を使用した支払処理において、複数の決済方式（例えば、Ｓｕｉｃａ（登録商標）、Ｅｄｙ（登録商標）、クレジットカード等）が利用可能な場合に、客が優先させたい決済方式を選択する方法が開示されている（例えば、特許文献１）。
【先行技術文献】
【特許文献】
【０００３】
【特許文献１】特開２００７−１４１０５５号公報
【発明の概要】
【発明が解決しようとする課題】
【０００４】
特許文献１に記載のものは、店頭にある決済端末装置と携帯端末装置との間で通信することで、携帯端末装置に各決済方式での累積データを記憶させ、累積データから各決済方式の優先順位付けをするものにすぎなかった。
【０００５】
本発明は、複数の決済方式での決済履歴情報に基づいて特典を設定することが可能な決済管理サーバ及び決済システムを提供することを目的とする。
【課題を解決するための手段】
【０００６】
本発明は、以下のような解決手段により、前記課題を解決する。
第１の発明は、決済処理を行う複数の決済サーバでの決済処理に関する決済履歴情報をユーザに対応付けて記憶する決済履歴記憶部と、前記決済履歴記憶部に記憶された前記決済履歴情報に基づいて、各決済方式を使用した際の特典である特典情報を決済方式ごとに設定して、特典記憶部に記憶させる特典設定部と、を備える決済管理サーバである。
第２の発明は、第１の発明の決済管理サーバであって、前記決済履歴記憶部は、各ユーザにおける一以上の決済方式に対応付けられた決済特定情報ごとに前記決済履歴情報を記憶し、前記特典設定部は、前記決済特定情報ごとに前記特典情報を設定すること、を特徴とする決済管理サーバである。
第３の発明は、第１の発明又は第２の発明の決済管理サーバであって、前記特典設定部は、前記決済履歴情報に基づいて利用頻度が少ない決済方式に対して、より有利な特典を設定すること、を特徴とする決済管理サーバである。
第４の発明は、第１の発明から第３の発明までのいずれかの決済管理サーバであって、前記特典設定部は、前記決済履歴情報に基づいて決済処理での金額が高い決済方式に対して、一定金額以上での決済処理に使用可能な特典を設定すること、を特徴とする決済管理サーバである。
第５の発明は、第１の発明から第４の発明までのいずれかの決済管理サーバであって、前記特典設定部により前記特典記憶部に記憶された特典情報を、対応する決済方式に関する決済方式情報と共に送信する特典提供部を備えること、を特徴とする決済管理サーバである。
第６の発明は、第５の発明の決済管理サーバであって、前記決済サーバにおいて付与されるサーバ特典情報を記憶するサーバ特典記憶部を備え、前記特典提供部は、前記サーバ特典情報を前記特典情報に付加して、前記特典情報と前記決済方式情報とを送信すること、を特徴とする決済管理サーバである。
第７の発明は、第５の発明又は第６の発明の決済管理サーバにおいて、前記特典情報及び前記決済履歴情報のうち少なくとも一方に基づいて、各決済方式に対する順位付けである順位情報を設定する順位設定部を備え、前記特典提供部は、前記順位設定部により設定された順位情報を含んで、前記特典情報と前記決済方式情報とを送信すること、を特徴とする決済管理サーバである。
第８の発明は、第１の発明から第７の発明までのいずれかの決済管理サーバにおいて、決済用端末と、前記複数の決済サーバとの間を仲介し、前記決済サーバでの決済結果情報を、前記決済サーバから受信したことに応じて、前記決済結果情報に基づいた前記決済履歴情報を、決済履歴記憶部に記憶させる履歴制御部を備えること、を特徴とする決済管理サーバである。
第９の発明は、第１の発明から第８の発明までのいずれかの決済管理サーバと、前記複数の決済サーバと、一以上の決済方式に対応付けられた決済特定情報を取得する決済用端末と、を備える決済システムである。
【発明の効果】
【０００７】
本発明によれば、複数の決済方式での決済履歴情報に基づいて特典を設定することが可能な決済管理サーバ及び決済システムを提供することができる。
【図面の簡単な説明】
【０００８】
【図１】第１実施形態に係る決済システムの全体概要図である。
【図２】第１実施形態に係る仲介サーバの機能ブロック図である。
【図３】第１実施形態に係る決済システムの決済方式提供処理を示すフローチャートである。
【図４】第１実施形態に係る決済システムの決済処理を示すフローチャートである。
【図５】第１実施形態に係る仲介サーバの記憶部の例を示す図である。
【図６】第１実施形態に係るＷｅｂ端末での表示例を示す図である。
【図７】第１実施形態に係る仲介サーバでの特典設定処理を示すフローチャートである。
【図８】第２実施形態に係る決済システムの全体概要図である。
【図９】第２実施形態に係る仲介サーバの機能ブロック図である。
【図１０】第２実施形態に係る決済システムの決済処理を示すフローチャートである。
【発明を実施するための形態】
【０００９】
以下、本発明を実施するための形態について、図を参照しながら説明する。なお、これは、あくまでも一例であって、本発明の技術的範囲はこれに限られるものではない。
（第１実施形態）
＜決済システム１００の全体構成＞
図１は、第１実施形態に係る決済システム１００の全体概要図である。
図２は、第１実施形態に係る仲介サーバ１の機能ブロック図である。
決済システム１００は、ユーザＰが、例えば、Ｗｅｂ端末４（決済用端末）を使用してネットショッピングをした場合に、その決済処理をするシステムである。図１に示すように、決済システム１００は、仲介サーバ１（決済管理サーバ）と、Ｗｅｂ端末４と、決済サーバ６とを備えている。
仲介サーバ１と、Ｗｅｂ端末４と、決済サーバ６とは、通信ネットワークＮを介して接続可能になっている。通信ネットワークＮは、インターネット回線等である。
【００１０】
ユーザＰは、決済をするときに、マスタカード９のマスタカードＩＤ（ＩＤｅｎｔｉｆｉｅｒ）（決済特定情報）を使用する。
ここで、マスタカード９について説明する。マスタカード９は、複数の決済方式で使用可能なカードのカード媒体である。マスタカード９は、例えば、プラスチックカードであり、マスタカードＩＤを記録している。マスタカードＩＤは、マスタカード９を識別する識別情報であり、仲介サーバ１において、複数の決済方式の各々での決済処理で使用するカード番号や、会員番号等に対応付けられている。以降において、決済方式で使用するカード番号や会員番号等を、「カード番号」として説明する。マスタカードＩＤは、例えば、カード券面に記載されていてもよいし、バーコードとして有してもよいし、磁気や非接触ＩＣ（Ｉｎｔｅｇｒａｔｅｄ  Ｃｉｒｃｕｉｔ）に有していてもよい。
【００１１】
ネットショッピング用のＥＣサイト（Ｅｌｅｃｔｒｏｎｉｃ  Ｃｏｍｍｅｒｃｅ  ｓｉｔｅ）（図示せず）を表示中のＷｅｂ端末４では、マスタカード９のマスタカードＩＤを使用して決済を依頼する。すると、Ｗｅｂ端末４は、マスタカード９で使用可能な決済方式と、特典情報とを表示する。そして、ユーザＰは、表示された特典情報を参照しつつ、表示された決済方式から一の決済方式を選択することで、Ｗｅｂ端末４と、決済サーバ６との間で、選択された一の決済方式を使用した決済処理をすることができる。
【００１２】
＜仲介サーバ１＞
仲介サーバ１は、Ｗｅｂ端末４と決済サーバ６との間で行われる決済処理を仲介するサーバである。仲介サーバ１は、決済結果から決済履歴情報を取得して記憶する。また、仲介サーバ１は、記憶された決済履歴情報に基づいて、決済時の特典に関する特典情報を設定する。
図２に示すように、仲介サーバ１は、制御部１０と、記憶部２０と、通信インタフェース部２９とを備える。
制御部１０は、仲介サーバ１の全体を制御する中央処理装置（ＣＰＵ）である。制御部１０は、記憶部２０に記憶されているオペレーティングシステム（ＯＳ）やアプリケーションプログラムを適宜読み出して実行することにより、上述したハードウェアと協働し、各種機能を実行する。
制御部１０は、決済依頼受信部１１と、特典提供部１２と、決済方式情報受信部１３と、決済実行部１４と、履歴制御部１５と、特典設定部１７と、順位設定部１８と、サーバ特典受信部１９とを備える。
【００１３】
決済依頼受信部１１は、Ｗｅｂ端末４から決済依頼情報を受信する。
特典提供部１２は、受信した決済依頼情報に基づいて各決済方式情報と、その特典情報とを、Ｗｅｂ端末４に対して送信する。
決済方式情報受信部１３は、Ｗｅｂ端末４から一の決済方式情報を受信する。
決済実行部１４は、決済処理を一の決済方式情報に対応した決済サーバ６に対して依頼することで、決済処理を行う。その際、決済実行部１４は、Ｗｅｂ端末４により選択された一の決済方式に対応する特典情報を用いて決済処理を行う。
履歴制御部１５は、決済処理結果に関する履歴情報である決済履歴情報を、決済履歴記憶部２５に記憶させる。
特典設定部１７は、決済履歴記憶部２５に記憶された決済履歴情報に基づいて、特典情報を設定する。
順位設定部１８は、特典情報に基づいて、各決済方式に対して順位付けをする。
サーバ特典受信部１９は、各決済サーバ６から特典情報（サーバ特典情報）を受信してサーバ特典テーブル２３（サーバ特典記憶部）に記憶させる。
なお、これらの各機能の詳細な説明については、後述する。
【００１４】
記憶部２０は、制御部１０が各種の処理を実行するために必要なプログラム、データ等を記憶するためのハードディスク、半導体メモリ素子等の記憶領域である。
なお、コンピュータとは、制御部、記憶装置等を備えた情報処理装置をいい、仲介サーバ１は、制御部１０、記憶部２０等を備えた情報処理装置であり、コンピュータの概念に含まれる。
記憶部２０は、ユーザ決済情報テーブル２１と、特典テーブル２２（特典記憶部）と、サーバ特典テーブル２３と、決済履歴記憶部２５とを記憶している。
ユーザ決済情報テーブル２１は、マスタカードＩＤごとに決済方式情報を記憶するテーブルである。
特典テーブル２２は、特典設定部１７によって設定された特典情報を記憶するテーブルである。
サーバ特典テーブル２３は、各決済サーバ６から受信した特典情報を記憶するテーブルである。
決済履歴記憶部２５は、決済履歴情報を記憶する。
なお、各テーブル等の詳細な説明については、後述する。
通信インタフェース部２９は、通信ネットワークＮを介して、Ｗｅｂ端末４や決済サーバ６との通信を行うためのインタフェース部である。
【００１５】
＜Ｗｅｂ端末４＞
図１に戻り、Ｗｅｂ端末４は、例えば、パーソナルコンピュータ（ＰＣ）である。Ｗｅｂ端末４は、その他、スマートフォンに代表されるコンピュータの機能を併せ持った携帯電話機等や、タブレット端末等の携帯型の端末であってもよい。
Ｗｅｂ端末４は、通信ネットワークＮを介して、仲介サーバ１との間で通信可能になっている。
図示しないが、Ｗｅｂ端末４は、制御部と、記憶部と、入力部と、表示部と、通信インタフェース部等とを備える。
＜決済サーバ６＞
決済サーバ６は、決済方式ごと別サーバとして有し、各々決済処理を行う。図示しないが、決済サーバ６は、制御部、記憶部、通信インタフェース部等を備える。
【００１６】
＜決済システム１００の処理＞
次に、決済システム１００による処理を説明する。
図３は、第１実施形態に係る決済システム１００の決済方式提供処理を示すフローチャートである。
図４は、第１実施形態に係る決済システム１００の決済処理を示すフローチャートである。
図５は、第１実施形態に係る仲介サーバ１の記憶部２０の例を示す図である。
図６は、第１実施形態に係るＷｅｂ端末４での表示例を示す図である。
【００１７】
まず、決済方式提示処理について、図３に基づき説明する。
ユーザＰは、Ｗｅｂ端末４を使用してＥＣサイトに接続し、ネットショッピングをしている。そして、ユーザＰが購入したい一以上の商品等を選択した上で、マスタカード９のマスタカードＩＤを入力し、決済処理を行うように指示することで、図３のステップＳ（以下、「Ｓ」という。）１０において、Ｗｅｂ端末４の制御部は、決済依頼情報を仲介サーバ１に対して送信する。決済依頼情報は、マスタカードＩＤと、決済金額情報とを含む。
なお、この例では、ネットショッピング用のＥＣサイトと仲介サーバ１とが別サーバとして説明するが、仲介サーバ１がＥＣサイトの機能を有していてもよい。
【００１８】
Ｓ１１において、仲介サーバ１の制御部１０（決済依頼受信部１１）は、Ｗｅｂ端末４から決済依頼情報を受信する。そして、制御部１０は、決済受付番号を取得する。決済受付番号は、決済処理ごとに付与する一意の番号であり、例えば、１から順番に番号を付与してもよい。
Ｓ１２において、制御部１０は、ユーザ決済情報テーブル２１を参照し、受信した決済依頼情報に含まれるマスタカードＩＤに対応した決済方式情報を抽出する。
【００１９】
ここで、ユーザ決済情報テーブル２１について、図５（Ａ）に基づき説明する。
ユーザ決済情報テーブル２１は、マスタカードＩＤと、決済方式情報と、その決済方式で用いるカード番号を対応付けて記憶している。１つのマスタカードＩＤには、マスタカード９を有するユーザＰが使用可能な決済方式情報が対応付けられている。ここで、決済方式情報は、どのような決済方式が使用可能であるかを表す。１つのマスタカードＩＤには、一以上の決済方式情報が対応付けられている。
例えば、制御部１０が、「Ｍ００００１」であるマスタカードＩＤを受信した場合には、制御部１０は、「Ａ社クレジット」と、「Ｂ社ポイント」との２つの決済方式情報を抽出する。また、制御部１０が、「Ｍ００００２」であるマスタカードＩＤを受信した場合には、制御部１０は、「Ａ社クレジット」と、「Ｃ社クレジット」と、「Ｄ社ポイント」との３つの決済方式情報を抽出する。
【００２０】
なお、この例では、理解しやすいように、決済方式情報を、「Ａ社クレジット」や「Ｂ社ポイント」と記載しているが、マスタカードＩＤに対応付けられた決済方式情報は、各決済方式を特定する特定情報であってもよい。
また、制御部１０は、マスタカードＩＤに対応する決済方式情報を抽出した後に、マスタカードＩＤに対応するその決済方式のカード番号での利用限度額や、そのカード番号が利用できる番号であるか等の確認を、決済サーバ６に対して照会し、照会結果からさらに今回の決済処理で使用する決済方式情報を絞り込んでもよい。
【００２１】
Ｓ１３において、制御部１０は、特典テーブル２２及びサーバ特典テーブル２３を参照し、Ｓ１２で抽出した決済方式情報に対応する特典情報を取得する。
ここで、特典テーブル２２について、図５（Ｂ）に基づき説明する。
特典テーブル２２は、マスタカードＩＤと、決済方式情報と、特典情報と、順位とを対応付けて記憶している。特典情報は、決済履歴記憶部２５に記憶された決済履歴情報に基づいて設定されたものである。また、順位は、特典情報と決済履歴情報とに基づいて決定して設定されたものである。この特定情報及び順位の設定については、後述する。
【００２２】
次に、サーバ特典テーブル２３について、図５（Ｃ）に基づき説明する。
サーバ特典テーブル２３は、決済サーバ情報と、通常特典情報と、限定特典情報と、特典提供期間とを対応付けて記憶している。決済サーバ情報は、決済サーバ６を特定するものであり、例えば、決済サーバ６の名称である。通常特典情報は、通常付与される特典情報である。限定特典情報は、通常特典にプラスして特別に付与される特典情報である。特典提供期間は、限定特典情報を付与する期間である。例えば、「Ｃ社」の決済サーバ６で決済処理をする際には、決済処理をする日時が特典提供期間の範囲内である場合には、限定特典として「ポイント２倍」が付与される。
なお、仲介サーバ１の制御部１０（サーバ特典受信部１９）は、各決済サーバ６から適宜限定特典情報と特典提供期間に関する情報等を、適宜のタイミングで受信するので、制御部１０は、受信した情報に基づいてサーバ特典テーブル２３を更新する。
【００２３】
ここで、特典情報の取得に関する具体例を説明する。
例えば、決済依頼情報に含まれるマスタカードＩＤが「Ｍ００００１」であった場合には、制御部１０は、まず特典テーブル２２を参照し、決済方式情報として「Ａ社クレジット」に対応付けられた「ポイント３倍」を取得し、「Ｂ社ポイント」に対応した特典情報が何もないことを確認する。また、制御部１０は、サーバ特典テーブル２３の「Ａ社クレジット」の決済サーバ６である「Ａ社」を参照し、通常特典情報として「１００円につき１ポイント」を取得する。さらに、制御部１０は、サーバ特典テーブル２３の「Ｂ社ポイント」の決済サーバ６である「Ｂ社」を参照し、通常特典として「１％引き」を取得し、さらに、特典提供期間を満たす場合には、「クーポン」を取得する。
【００２４】
図３に戻り、Ｓ１４において、制御部１０（特典提供部１２）は、Ｓ１３で取得した特典情報を、対応する決済方式情報及び順位と共に、Ｗｅｂ端末４に対して送信する。その際、制御部１０は、決済受付番号も送信する。
Ｓ１５において、Ｗｅｂ端末４の制御部は、受信した特典情報を、Ｗｅｂ端末４の表示部に表示させる。
図６（Ａ）は、Ｗｅｂ端末４の表示部に表示された決済方式選択画面４０の例である。
決済方式選択画面４０は、おすすめ順に対応付けて、決済方式情報と、特典情報とを表示する。おすすめ順は、順位情報である。よって、ユーザＰは、決済方式選択画面４０に表示された特典情報を参照して、いずれかの決済方式を決定することができる。そして、ユーザＰがいずれかの決済方式に対応する「決定」ボタンを選択することで、その決済方式で決済処理を行うことができる。
【００２５】
次に、決済処理について、図４に基づき説明する。
図４のＳ２０において、Ｗｅｂ端末４の制御部は、「決定」ボタン（図６（Ａ）参照）の選択操作を受け付けて、選択された決済方式情報を仲介サーバ１に対して送信する。その際、Ｗｅｂ端末４の制御部は、決済受付番号も送信する。
Ｓ２１において、仲介サーバ１の制御部１０（決済方式情報受信部１３）は、決済方式情報を受信する。決済方式情報と共に受信した決済受付番号によって、制御部１０は、先にＷｅｂ端末４から受信した決済依頼情報に対応付けることができる。
Ｓ２２において、制御部１０（決済実行部１４）は、決済情報を該当の決済サーバ６に対して送信する。決済情報は、カード番号と決済金額情報と決済受付番号とを含む。
【００２６】
Ｓ２３において、決済サーバ６の制御部は、仲介サーバ１から受信したカード番号と決済金額情報とを用いて決済処理を行う。そして、決済サーバ６の制御部は、決済結果情報と、決済受付番号とを、仲介サーバ１に対して送信する。その後、決済サーバ６の制御部は、本処理を終了する。
Ｓ２４において、仲介サーバ１の制御部１０は、決済結果情報を、決済受付番号と共に受信する。
Ｓ２５において、制御部１０（履歴制御部１５）は、決済結果情報に基づいて、決済履歴情報を決済履歴記憶部２５に記憶させる。
【００２７】
ここで、決済履歴記憶部２５について、図５（Ｄ）に基づき説明する。
決済履歴記憶部２５は、決済受付番号に対応付けて、決済日時と、マスタカードＩＤと、決済方式情報と、決済金額情報とを記憶する。決済履歴記憶部２５は、全てのユーザＰのマスタカード９を利用した決済処理に関する決済履歴情報を記憶する。
図４に戻り、Ｓ２６において、制御部１０は、決済結果情報を、Ｗｅｂ端末４に対して送信する。その後、制御部１０は、本処理を終了する。
Ｓ１７において、Ｗｅｂ端末４の制御部は、決済結果情報を受信し、Ｗｅｂ端末４の表示部に表示させる。
図６（Ｂ）は、Ｗｅｂ端末４の表示部に表示された決済完了画面５０の例である。
決済完了画面５０は、使用した決済方式と、決済金額と、特典情報とを表示する。この例での特典情報は、付与されたポイントに関する情報である。
【００２８】
このように、決済システム１００では、マスタカードＩＤに対応付けられた決済方式情報を、特典情報と共にＷｅｂ端末４に表示するので、ユーザＰは、特典情報を参照して、お得な決済方式を選択することができる。また、複数の決済方式が利用可能な場合には、順位と共に決済方式情報をＷｅｂ端末４に表示させるので、ユーザＰに決済方式の選択をさせやすくできる。さらに、マスタカードＩＤを含む決済履歴情報を仲介サーバ１が記憶する。そのことで、このＷｅｂ端末４以外の端末を用いた場合でも、決済履歴情報を蓄積できる。また、複数の決済方式を横断した決済履歴情報を蓄積できる。
【００２９】
次に、特典テーブル２２に記憶させる特典情報に関する処理について説明する。
図７は、第１実施形態に係る仲介サーバ１での特典設定処理を示すフローチャートである。
この特典設定処理は、例えば、適宜のタイミング（例えば、１ヶ月ごと等）に行われる。
Ｓ３０において、仲介サーバ１の制御部１０は、決済履歴記憶部２５を参照し、マスタカードＩＤごとに、そのマスタカードＩＤが対応付けられた決済履歴情報を抽出する。
Ｓ３１において、制御部１０（特典設定部１７）は、特典設定処理を行う。
ここで、特典設定処理の具体例について説明する。
制御部１０は、抽出した決済履歴情報を、例えば、決済履歴情報の決済方式情報ごとにソートする。そして、各決済履歴情報のレコード数の多少や合計した決済金額情報の高低によって、特典情報を設定する。例えば、制御部１０は、決済履歴情報のレコード数が少ないものから順番に、ユーザＰにとってより有利な特典情報を設定する。また、制御部１０は、合計した決済金額情報の高い順に、ユーザＰにとってより有利な特典情報を設定する。
【００３０】
Ｓ３２において、制御部１０は、特典テーブル２２に、特典設定処理によって設定された特典情報を記憶させる。
Ｓ３３において、制御部１０（順位設定部１８）は、特典テーブル２２と、サーバ特典テーブル２３とを参照し、各決済方式情報に対応する特典情報に対して順位付けをする。この順位付けは、例えば、ユーザＰにとってより有利な特典情報の順番にする。
Ｓ３４において、制御部１０は、Ｓ３３で付与された順位を、特典テーブル２２に記憶させる。その後、制御部１０は、本処理を終了する。
【００３１】
このように、第１実施形態の決済システム１００によれば、以下のような効果がある。
（１）仲介サーバ１は、Ｗｅｂ端末４と決済サーバ６との間で実行される決済処理を仲介するので、複数の決済方式を横断した決済履歴情報を、決済履歴記憶部２５に記憶できる。よって、仲介サーバ１では、決済履歴記憶部２５に記憶された決済履歴情報をもとに、特典を設定できる。その際、仲介サーバ１は、各決済方式の使用状況を勘案した上で、どの決済方式をユーザＰに使用させるかを調整できる。
また、仲介サーバ１は、設定した特典情報を、ユーザＰに提供するので、ユーザＰは、よりよい特典が得られる決済方式を選択できる。
【００３２】
（２）仲介サーバ１は、マスタカードＩＤごとに、決済履歴情報を抽出して、特典を設定するので、ユーザＰごとに特典情報を設定できる。よって、設定された特典は、ユーザＰがより使用しやすいものにできる。
（３）仲介サーバ１は、特典情報の設定を、利用頻度が少ない決済方式に対して有利な特典を設定することで、ユーザＰに対してその決済方式を利用するように促すことができる。
【００３３】
（４）仲介サーバ１は、ユーザＰごとに設定された特典情報に、さらに決済サーバ６ごとに設定された通常特典や限定特典を付加して、様々な特典が付加されたものを、ユーザＰに提供できる。よって、例えば、特許文献１に記載されている携帯端末と店舗端末との間の操作ログからは得られない決済サーバ６での特典を加味した上で、特典情報を提供できるので、ユーザＰに対してより有益な情報を提供できる。
また、決済サーバ６では、その決済サーバ６の決済方式を利用してもらうためのサーバ独自の特典を付与することで、ユーザＰに対してその決済サーバ６に対応する決済方式の使用を促すことができる。
（５）仲介サーバ１は、特典情報をもとに決済方式を順位付けて、順位を含めてＷｅｂ端末４に表示させるので、ユーザＰに対して決済方式の選択をさせやすくできる。
【００３４】
（第２実施形態）
第２実施形態では、仲介サーバがユーザに有利な決済方式を自動的に選択して決済処理を行う形態について説明する。なお、以降の説明において、上述した第１実施形態と同様の機能を果たす部分には、同一の符号又は末尾に同一の符号を付して、重複する説明を適宜省略する。
【００３５】
＜決済システム２００＞
図８は、第２実施形態に係る決済システム２００の全体概要図である。
図９は、第２実施形態に係る仲介サーバ２０１の機能ブロック図である。
図８に示す決済システム２００は、仲介サーバ２０１と、店舗端末２０４（決済用端末）と、決済サーバ６と、携帯端末２０８とを備えている。
決済システム２００では、ユーザＰは、携帯端末２０８を携行している。携帯端末２０８には、マスタカードＩＤが記憶されている。そして、ユーザＰは、店舗Ｓの店舗端末２０４に有するリーダライタ２０４ｃに携帯端末２０８を近づけることで、購入品等に対する決済処理を行う。決済処理では、仲介サーバ２０１が、ユーザＰに対して有利な特典が提供される決済方式を自動的に選択して、選択された決済方式の決済サーバ６に対して決済処理を行う。
【００３６】
＜仲介サーバ２０１＞
図９に示すように、仲介サーバ２０１は、制御部２１０と、記憶部２０と、通信インタフェース部２９とを備える。
制御部２１０は、決済依頼受信部１１と、決済方式選定部２１６と、決済実行部１４と、履歴制御部１５と、特典設定部１７と、順位設定部１８と、サーバ特典受信部１９とを備える。
決済方式選定部２１６は、受信した決済依頼情報に基づいて、有利な特典が対応付けられた決済方式を選定する。
【００３７】
＜店舗端末２０４＞
図８に戻り、店舗端末２０４は、店舗Ｓのカウンタに設けられたレジスタである。
店舗端末２０４は、リーダライタ２０４ｃの他に、図示しないが、制御部と、記憶部と、入力部と、表示部と、通信インタフェース部等とを備える。
リーダライタ２０４ｃは、例えば、Ｂｌｕｅｔｏｏｔｈ（登録商標）や、ＮＦＣ等の無線通信を利用して、携帯端末２０８からマスタカードＩＤを読み取る読取装置である。
＜携帯端末２０８＞
携帯端末２０８は、例えば、スマートフォンに代表されるコンピュータの機能を併せ持った携帯電話機等である。携帯端末２０８は、その他、タブレット端末等の携帯型の端末であってもよい。
携帯端末２０８は、図示しないが、制御部と、記憶部と、入力部と、表示部と、通信インタフェース部等とを備える。携帯端末２０８の記憶部には、予めマスタカードＩＤが記憶されている。そして、携帯端末２０８は、マスタカードＩＤを利用した決済処理が行える。
【００３８】
＜決済システム２００の処理＞
次に、決済システム２００による処理を説明する。
図１０は、第２実施形態に係る決済システム２００の決済処理を示すフローチャートである。
ユーザＰは、店舗Ｓでの購入品を、店舗端末２０４が設置されたカウンタに持って行くことで、店員が購入品に付されたバーコードの情報を、店舗端末２０４の入力部を用いて入力していく。そして、ユーザＰは、店舗端末２０４の表示部に表示された決済金額を確認の上、携帯端末２０８を、リーダライタ２０４ｃに近づける。すると、店舗端末２０４の制御部は、リーダライタ２０４ｃを介して携帯端末２０８に記憶されているマスタカードＩＤを取得する。
Ｓ２１０において、店舗端末２０４の制御部は、決済依頼情報を仲介サーバ２０１に対して送信する。決済依頼情報は、マスタカードＩＤと、決済金額情報とを含む。
【００３９】
Ｓ２１１において、仲介サーバ２０１の制御部２１０（決済依頼受信部１１）は、店舗端末２０４から決済依頼情報を受信する。そして、制御部２１０は、決済受付番号を取得する。
Ｓ２１２及びＳ２１３は、第１実施形態（図３）のＳ１２及びＳ１３と同様である。また、Ｓ２１３で参照する特典テーブル２２を生成する特典設定処理に関しては、第１実施形態（図７）と同様である。
Ｓ２１４において、制御部２１０（決済方式選定部２１６）は、Ｓ２１３で取得した特典情報に基づいて、決済方式を選定する。制御部２１０は、例えば、特典情報に対応付けられた順位が上位の決済方式を選定する。
Ｓ２１５において、制御部２１０は、ユーザ決済情報テーブル２１を参照して、選定した決済方式に対応するカード番号を取得する。そして、制御部２１０（決済実行部１４）は、決済情報を該当の決済サーバ６に対して送信する。決済情報は、カード番号と決済金額情報と決済受付番号とを含む。
【００４０】
Ｓ２１６からＳ２１８までは、第１実施形態（図４）のＳ２３からＳ２５までと同様である。
Ｓ２１９において、制御部２１０は、決済結果情報を、店舗端末２０４に対して送信する。その後、制御部２１０は、本処理を終了する。
Ｓ２２０において、店舗端末２０４の制御部は、決済結果情報を受信し、店舗端末２０４の表示部に表示させる。店舗端末２０４の表示部に表示される画面は、図６（Ｂ）に示す決済完了画面５０と同様である。
ユーザＰは、店舗端末２０４の表示部に表示される画面を見て、どの決済方式が使用され、どのような特典が付与されたのかを確認できる。
【００４１】
このように、第２実施形態の決済システム２００によれば、以下のような効果がある。
（１）仲介サーバ２０１は、マスタカードＩＤを使用して、マスタカードＩＤに対応付けられた複数の決済方式から決済処理を行う決済方式を選定する。よって、店舗端末２０４からは、マスタカードＩＤを送信することで足りる。
仲介サーバ２０１では、マスタカードＩＤから対応する決済方式のカード番号に変換して、決済情報を該当の決済サーバ６に送信する。店舗端末２０４から送信するマスタカードＩＤは、決済サーバ６で使用するカード番号ではないので、カード番号を店舗端末２０４のログ等に残すことがなく、セキュリティ性が向上する。
また、マスタカードＩＤは、複数の決済方式を束ねる情報であるため、ユーザＰは、マスタカードＩＤが記憶された携帯端末２０８を有していればよく、複数の決済方式に対応したカード類を所持する必要がない。
【００４２】
（２）仲介サーバ２０１は、各決済方式に対する特典情報に基づいて、一の決済方式を選定するので、例えば、特典のよりよい決済方式を選択して決済ができる。
（３）仲介サーバ２０１は、決済方式の選定を、決済履歴情報を参照して行うので、利用頻度の少ない決済方式を利用させたり、利用頻度の多い決済方式を利用させたりできる。
（４）仲介サーバ２０１は、決済結果情報として選定された決済方式情報を含んで店舗端末２０４に送信するので、ユーザＰは、選定された決済方式を確認できる。
【００４３】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４４】
（変形形態）
（１）各実施形態では、決済処理を行ったタイミングで、リアルタイムに決済履歴情報を記憶するものとして説明したが、これに限定されない。例えば、決済サーバからバッチ処理で一括して決済履歴情報を受信してもよい。
（２）第１実施形態では、決済方式提示処理と、決済処理との両方の処理を、仲介サーバを介して行うものを説明したが、これに限定されない。例えば、決済方式提示処理において、仲介サーバを経由して情報を出力した後の決済処理においては、仲介サーバを介さずにＷｅｂ端末から直接決済サーバに対して決済方式情報を送信してもよい。その場合には、決済方式提示処理において、特典情報を送信する際に、特典情報に対応する決済方式のカード番号を、Ｗｅｂ端末に送信し、決済方式と共にカード番号を決済サーバに送信する必要がある。
【００４５】
（３）第１実施形態では、Ｗｅｂ端末を使用したオンラインショッピングでの決済を例に説明し、第２実施形態では、店舗端末を使用した決済を例に説明した。そして、決済履歴記憶部には、決済結果情報から得られる決済履歴情報を記憶するものとして説明した。この決済履歴記憶部には、例えば、第１実施形態での決済履歴情報と、第２実施形態での決済履歴情報との両方の決済履歴情報を含んでよい。そのようにすることで、決済で用いる端末に依存することなく、全ての決済処理の決済履歴を蓄積できるので、より多面的な情報を得ることができる。
【００４６】
（４）各実施形態では、マスタカードＩＤごとの決済履歴情報を用いて、特典設定処理を行うものとして説明したが、これに限定されない。マスタカードＩＤを用いて行った全ての決済履歴情報に基づいて、特典設定処理を行ってもよい。そうすることで、例えば、全ユーザの使用頻度が高い決済方式に対して、利益還元の観点から特典を付与したり、逆に、使用頻度が低い決済方式に対して、利用促進の観点から特典を付与したりできる。
（５）各実施形態では、決済方式ごとに特典を設定するものとして説明したが、これに限定されない。例えば、複数の決済方式の利用頻度が高いユーザに対しては、さらどのような決済方式を使用しても付与される特典を設定するようにしてもよい。
【００４７】
（６）各実施形態では、特典設定処理において、各決済履歴情報のレコード数の多少や合計の決済金額情報の高低によって、特典情報を設定するものとして説明したが、これに限定されない。例えば、実際の決済処理での決済金額に応じて、使用可能とする特典情報を設定してもよい。そうすることで、例えば、より高額な決済金額に対しての特典を付与することで、高額な決済での利用を、ユーザに促すことができる。
（７）各実施形態では、特典設定処理において、特典情報に基づいて順位付けをするものとして説明したが、これに限定されない。例えば、決済履歴情報のレコード数の多少に基づいて順位付けをしてもよい。
【００４８】
（８）第１実施形態では、マスタカードをカード媒体であるものとして説明し、第２実施形態では、携帯端末のアプリケーションプログラム内にマスタカードＩＤを有するものとして説明したが、これに限定されない。例えば、第２実施形態において、携帯端末ではなく、カード媒体を利用してもよい。
（９）各実施形態では、決済方式として、クレジット、ポイント、電子マネーを例に説明したが、これに限定されない。
【符号の説明】
【００４９】
１，２０１  仲介サーバ
４    Ｗｅｂ端末
６    決済サーバ
９    マスタカード
１０，２１０  制御部
１１  決済依頼受信部
１２  特典提供部
１４  決済実行部
１５  履歴制御部
１７  特典設定部
１８  順位設定部
２０  記憶部
２１  ユーザ決済情報テーブル
２２  特典テーブル
２３  サーバ特典テーブル
２５  決済履歴記憶部
４０  決済方式選択画面
１００，２００  決済システム
２０４  店舗端末
２０８  携帯端末
２１６  決済方式選定部
Ｎ    通信ネットワーク
Ｐ    ユーザ
【図１】
0006613770.tif 000002
【図２】
0006613770.tif 000003
【図３】
0006613770.tif 000004
【図４】
0006613770.tif 000005
【図５】
0006613770.tif 000006
【図６】
0006613770.tif 000007
【図７】
0006613770.tif 000008
【図８】
0006613770.tif 000009
【図９】
0006613770.tif 000010
【図１０】
0006613770.tif 000011